(57)【特許請求の範囲】
【請求項１】
車椅子の下部フレームに回動可能に軸着されたクロスバーを有する折りたたみ式車椅子のクロスバーの固定具であって、車椅子の上部フレームに着設する取着部と半円形状の凹部を有する受け部とよりなる固定部と、前記受け部の半円形状の凹部の肩部に係合する嵌着蓋を有する係合部をクロスバーのフレームの前記受け部の当接する位置に装着し、車椅子を使用状態にした時、前記車椅子の上部フレームに着設した固定部の受け部とクロスバーのフレームに装着した係合部が係合し、前記受け部の凹部の肩部に前記係合部の嵌着蓋が被嵌して、車椅子を開いた状態でクロスバーのフレームを車椅子の上部フレームに固定することを特徴とする折りたたみ式車椅子のクロスバーの固定具。
【請求項２】
請求項１に記載のクロスバーの固定具を備えた折りたたみ式車椅子に、折りたたみ式車椅子のクロスバーのフレームにバックル、又は面ファスナーを着設したベルトを装着し、該ベルトの自由端を上げ下げすることによって、クロスバーを簡単に閉じたり、開いたりすることが出来ることを特徴とする車椅子の折りたたみ機構。
【請求項３】
車椅子の下部フレームに回動可能に軸着されたクロスバーを有する折りたたみ式車椅子のクロスバーの固定具であって、車椅子の上部フレームに着設する取着部と半円形状の凹部の底面に突起部を有する前記クロスバーのフレームを受ける受け部とより形成された固定部と、クロスバーのフレームに着設する前記受け部の前記突起部に係合する凹部を有する係合部とよりなり、クロスバーを開いて車椅子を使用状態にした時、車椅子の上部フレームに着設した前記固定部に設けた受け部の突起部とクロスバーのフレームに装着した前記係合部の凹部が係合して車椅子を開いた状態でクロスバーのフレームを車椅子の上部フレームに固定し、車椅子の上部フレームに着設する取着部と半円形状の凹部を有する受け部とより形成された固定部と、前記クロスバーのフレームに着設する前記受け部に係合する係合部とよりなるクロスバーの固定具の前記固定部と前記係合部の中央部を貫通する孔を穿設したことを特徴とする折りたたみ式車椅子のクロスバーの固定具。
【請求項４】
車椅子の下部フレームに回動可能に軸着されたクロスバーを有する折りたたみ式車椅子のクロスバーの固定具であって、車椅子の上部フレームに着設する取着部と半円形状の凹部を有する受け部とよりなる固定部と、前記受け部の半円形状の凹部の肩部に係合する嵌着蓋を有する係合部とよりなるクロスバーの固定具の固定部と係合部の中央部を貫通する孔を穿設したことを特徴とする請求項１に記載の折りたたみ式車椅子のクロスバーの固定具。
【請求項５】
車椅子の折りたたみ機構であって、
前記車椅子のクロスバーの固定具が、車椅子の上部フレームに着設する取着部と半円形状の凹部の底面に突起部を有する前記クロスバーのフレームを受ける受け部とより形成された固定部と、クロスバーのフレームに着設する前記受け部の前記突起部に係合する凹部を有する係合部とよりなり、クロスバーを開いて車椅子を使用状態にした時、車椅子の上部フレームに着設した前記固定部に設けた受け部の突起部とクロスバーのフレームに装着した前記係合部の凹部が係合して車椅子を開いた状態でクロスバーのフレームを車椅子の上部フレームに固定し、
前記クロスバーの固定具を備えた折りたたみ式車椅子に、折りたたみ式車椅子のクロスバーのフレームにバックル、又は面ファスナーを着設したベルトを装着し、該ベルトの自由端を上げ下げすることによって、クロスバーを簡単に閉じたり、開いたりすることが出来ることを特徴とする車椅子の折りたたみ機構。
【発明の詳細な説明】
【技術分野】
【０００１】
折りたたみ式車椅子のクロスバーの固定方法に関する。より詳しくは、折りたたみ式車椅子の上部フレームにクロスバーのフレームを安定に係合させて車椅子の使用時にクロスバーが揺動せずに安定に維持することができる折りたたみ式車椅子のクロスバー固定具に関する。
【背景技術】
【０００２】
折りたたみ式車椅子は不使用時には折り畳んで収納し、使用時には素早く拡げて使用するために、車椅子の中央部にクロスバーが着設されている。車椅子のクロスバーは折りたたんだ時は小さく、拡げたときは車椅子の上部フレームと簡単に係合して、安定感のあるものが望ましい。このために、車椅子に着設されたクロスバーについて、車椅子の座幅の調節とクロスバーの安定な固定方法が提案されている。
【０００３】
特許文献１の請求項１には、「折り畳み式の車椅子であって、背もたれと、シートと、側方の２つのフレームとが設けられていて、該フレームが駆動輪及び走行輪を支持していて、走行方向に対して横方向の平面内に位置する交差した２つのステーにより互いに結合されており、該ステーが交差点で回転可能に結合されていて、回転軸を中心に挟状に運動可能であり、前記ステーの下端部がフレームに枢着されていて、前記ステーの上端部が走行方向に位置するシート管を支持しており、前記各ステーが交差点よりも上方で旋回リンクを介して、隣接のフレームと枢着結合されており、しかも車椅子の使用時に、折り畳まれた車椅子が開かれると、前記シート管が、フレームに設けられた受容部材に載置されるようになっている形式のものにおいて、前記受容部材が係止部材として形成されており、車椅子が使用時に開かれている状態で、該係止部材に前記シート管がスナップインされていることを特徴とする、折りたたみ式の車椅子。」が開示されている。
【０００４】
特許文献２の請求項１には、「左右側枠と、該左右側枠を接続する前後一対のＸ枠とからなり、該左右側枠は上縁杆および該上縁杆の前端から一体的に下方へ屈曲形成される前縁杆、後縁杆、中間杆および下縁杆からなり、該前縁杆と後縁杆との間に中間杆と下縁杆とが差渡されており、各Ｘ枠は下端が夫々下縁杆に枢着されかつクロス点において相互回動可能にクロスする一対のクロス杆と、該クロス杆の上端に支持されている座部支持杆とからなり、左右側枠の中間杆内側には該Ｘ枠の座部支持杆を受ける爪が差出されており、該中間杆内側と該爪とにかけて樹脂被覆材を被覆し、該樹脂被覆材は中間杆内側被覆部とと、爪被覆部とからなり、該爪被覆部の下面には爪嵌合凹部が形成され、該爪嵌合凹部の両側壁下縁には係止爪がそれぞれ設けられ該左右側枠の中間杆内側の爪に該樹脂被覆材の爪嵌合凹部に嵌着した状態で該爪は該嵌合凹部両側の係止爪によって係止されることを特徴とする車椅子の枠体。」が開示されている。
【０００５】
特許文献３の請求項１には、「シートを支持するとともに、このシートが使用されるときに車幅方向に展開される左右のシートパイプと、展開された前記左右の各シートパイプを受け止めるパイプ受け部材が固定されるとともに、このパイプ受け部材が固定されるとともに、このパイプ受け部材を介在させて対応するシートパイプを支持する左右のシートサポートパイプとを具備する折り畳み式車椅子であって、前記左右の各シートパイプに設けられるとともに、これらパイプが前記パイプ受け部材によって受け止められた時に、当該受け部材と当接することにより、各シートパイプが対応するシートサポートパイプに対して軸方向に移動するのを阻止するストッパ手段を備えたことを特徴とする折り畳み式車椅子。」が開示されている。
【０００６】
特許文献１では上記のように、フレームに固定された係止部材にシート管がスナップインして、フレーム管とシート管を結合させている。引用文献１のフレームの固定は係止部材にシート管がスナップインしているだけであるので、急に停止したりすると、シート管が係止部材上で前後に動くという問題点がある。特許文献２ではフレームに着設された樹脂被覆材で被覆されたツメ部によってクロスバーの座部支持杆を支持し、金属相互間の摩擦による摩耗を防止するという効果ある。特許文献３はシートサポートパイプに受け部材が支持され、シートパイプにストッパ部材が着設されている。
【０００７】
上記のように折り畳み式車椅子のクロスバーを開閉して、固定することが出来るクロスバーの固定具がそれぞれ開示されている。しかし、クロスバーを車椅子のサイドフレームに固定する固定具とクロスバーのフレームに係合部を着設して、クロスバーが前後に揺動しないようにしたクロスバーの固定具は開示されていない。取り付けが容易で、簡単にクロスバーを固定することが出来て、安心して座乗することができるクロスバーの固定具の出現が望まれている。
【特許文献１】特許第２９５０８５０号公報
【特許文献２】特許第３７１８５４９号公報
【特許文献３】特開２００５−２８０４４号公報
【発明の開示】
【発明が解決しようとする課題】
【０００８】
上記事実に鑑みて本発明者等は、折り畳み車椅子を開いて使用する場合に、折り畳まれていたクロスバーのフレームと車椅子の上部フレームが簡単に係合して、開いた車椅子の座幅を強固に維持すると共に、車椅子の発進、停止等で座部が前後に揺動しないクロスバーの固定具を提供することにある、
【課題を解決するための手段】
【０００９】
上記課題を解決するために、鋭意研究を重ねた結果、クロスバーのフレームに着設する係合部と、車椅子の上部フレームに着設する取着部と、前記クロスバーのフレームに着設した係合部に係合する受け部とより形成された固定部とよりなるクロスバーの固定具として本発明の課題を解決した。
【００１０】
（削除）
【００１１】
本発明の別の特徴は、車椅子の下部フレームに回動可能に軸着されたクロスバーを有する折りたたみ式車椅子のクロスバーの固定具であって、車椅子の上部フレームに着設する取着部と半円形状の凹部を有する受け部とよりなる固定部と、前記受け部の半円形状の凹部の肩部に係合する嵌着蓋を有する係合部をクロスバーのフレームの前記受け部の当接する位置に装着し、車椅子を使用状態にした時、前記車椅子の上部フレームに着設した固定部の受け部とクロスバーのフレームに装着した係合部が係合し、前記受け部の凹部の肩部に前記係合部の嵌着蓋が被嵌して、車椅子を開いた状態でクロスバーのフレームを車椅子の上部フレームに固定することを特徴とする折りたたみ式車椅子のクロスバーの固定具である。
【００１２】
本発明の別の特徴は、上記クロスバーの固定具を備えた折りたたみ式車椅子に、折りたたみ式車椅子のクロスバーのフレームにバックル、又は面ファスナーを着設したベルトを装着し、該ベルトの自由端を上げ下げすることによって、クロスバーを簡単に閉じたり、開いたりすることが出来ることを特徴とする車椅子の折りたたみ機構である。
【００１３】
本発明の別の特徴は、車椅子の下部フレームに回動可能に軸着されたクロスバーを有する折りたたみ式車椅子のクロスバーの固定具であって、車椅子の下部フレームに回動可能に軸着されたクロスバーを有する折りたたみ式車椅子のクロスバーの固定具であって、車椅子の上部フレームに着設する取着部と半円形状の凹部の底面に突起部を有する前記クロスバーのフレームを受ける受け部とより形成された固定部と、クロスバーのフレームに着設する前記受け部の前記突起部に係合する凹部を有する係合部とよりなり、クロスバーを開いて車椅子を使用状態にした時、車椅子の上部フレームに着設した前記固定部に設けた受け部の突起部とクロスバーのフレームに装着した前記係合部の凹部が係合して車椅子を開いた状態でクロスバーのフレームを車椅子の上部フレームに固定し、車椅子の上部フレームに着設する取着部と半円形状の凹部を有する受け部とより形成された固定部と、前記クロスバーのフレームに着設する前記受け部に係合する係合部とよりなるクロスバーの固定具の前記固定部と前記係合部の中央部を貫通する孔を穿設したことを特徴とする。
【００１４】
固定部と係合部の中央部に上下に貫通する孔を穿設したクロスバーの固定具をクロスバーのフレームに着設して、係合部に穿設した孔と同じ位置にフレームに孔を貫通して、係合部の上部からフレームの孔を通って固定部の下部にボルトを通し、ナットで固定する。このようにクロスバーのフレームと固定部をボルトで固定することによって、クロスバーを上部フレームに強固に固定することができる。車椅子を折りたたむことなく、常時、開いたままで使用する使用者には、車椅子をがたつきのない安定した状態で使用することができる。
【００１５】
本発明の別の特徴は、車椅子の下部フレームに回動可能に軸着されたクロスバーを有する折りたたみ式車椅子のクロスバーの固定具であって、車椅子の上部フレームに着設する取着部と半円形状の凹部を有する受け部とよりなる固定部と、前記受け部の半円形状の凹部の肩部に係合する嵌着蓋を有する係合部とよりなるクロスバーの固定具の固定部と係合部の中央部を貫通する孔を穿設したことを特徴とする。
【００１６】
固定部と係合部の中央に上下に貫通する孔を穿設したクロスバーの固定具をクロスバーのフレームに着設して、係合部と同じ位置にフレームに孔を貫通して、係合部の上部から固定部の下部にボルトを通して、ナットで固定することによって、クロスバーを上部フレームに強固に固定することができる。車椅子を折りたたむことなく、常時、開いたままで使用する使用者には、車椅子をがたつきのない安定した状態で使用することができる。
【発明の効果】
【００１７】
車椅子の上部フレームに取着部と半円形状の凹部を有する受け部よりなる固定部の取着部を着設し、クロスバーのフレームに前記受け部が当接する位置に前記受け部の半円形状の凹部に係合する係合部を取着することによって、クロスバーを開いた時に受け部と係合部が係合してクロスバーを開いた状態で安定に保持することが出来る。受け部の半円形状の凹部の中心に突起部を着設し、係合部に前記突起部に係合する凹部を設けることによって、受け部と係合部の係合はより強くなる効果を有している。さらに、係合部の外縁に受け部の肩部に係合する嵌着蓋を着設して、受け部に係合部をより強く係合させることができる。
【００１８】
また、バックルを有するベルトの自由端を引き上げるとクロスバーが折り畳まれ、バックルでベルトが締め付けられて、クロスバーは閉じた状態で保持される。クロスバーを開く場合は、ベルトの自由端を持って、一方側に引くとバックルの固定が解除されてクロスバーが開く。ベルトに面ファスナーを貼設したベルトの場合は、クロスバーのフレームにベルトを装着して、ベルトの自由端と貼着したベルトの面ファスナーを剥がして、ベルトの自由端を引き上げると片手で簡単に車椅子を折り畳むことができる。
【発明を実施するための最良の形態】
【００１９】
以下に本発明のフットレスの固定具について図面を用いて詳細に説明するが本発明は以下の実施例に限定されるものではない。
【００２０】
図１は、クロスバーを有する折り畳み式車椅子の側面からの形状を示す。車椅子１０は前部の左右に回動自在なキャスター１１と、その後方に主車輪１４が上部フレーム１２、下部フレーム１５に支持されて左右に着設されている。上部フレーム１２の後部には背もたれが部１７が着設されており、利用者が座乗することができる。この座部１３の下で、左右の上部フレーム１２と下部フレーム１５を繋ぐように下部フレームに回動自在に枢着されたクロスバー１６が軸着されている。クロスバー１６は車椅子１０を不使用時に簡単に折り畳んだり、使用時には拡げるために着設するものであるが、クロスバーのフレーム１８には座部１３が装着されている他、車椅子の強度を維持するためにも重要な役割を有している。
【００２１】
図２は、本発明のクロスバーの固定具１００の一つを構成する取着部２１と半円形状の凹部２１を有する受け部２２とよりなる固定部２０を示す。図２の（２−１）は固定部２０に形成された受け部２２の上面図で、固定部２０に形成された取着部２１は車椅子の上部フレーム１５に溶着する部分である。固定部２０に形成された受け部２２の半円形状の凹部２３にクロスバーのフレーム１８に取着した係合部２６が係合する。受け部２２の半円形状の凹部２３の中央に突起部２４が着設されている。半円形状の凹部２３の中央に着設された突起部２４は、図２の（２−２）又は（２−３）に示すように受け部２２の中央部にボルト２５を螺着して、ボルト２５の頭部を突出させて突起部２４としている。突起部２４の形状はボルト２５の頭部を突出させる方法に限定されるものではなく、頭部の部分のみを溶着して突起部２４としてもよく、受け部２２に設ける突起部２４の形状、取着方法は、受け部２２に係合部２７が簡単に係合して固定されれば良く、特にその形状、取着方法は限定されるものではない。
【００２２】
取着部２１と受け部２２とよりなる固定部２０の材質は一方端を車椅子の上部フレーム１２に溶着して、クロスバーのフレーム１８を下から支える構造であるため、強度を有する金属材料を使用した。クロスバーのフレーム１８に取着する係合部２７は、固定部２０の受け部２２に乗せる構造であるため、強度の高い、耐候性のある合成樹脂を使用した。固定部２０と受け部２２の材質はそれぞれの荷重に耐えることが出来る剛性と耐久性があればよく、特に上記合成樹脂に限定されるものではなく、金属製であってもよい。
【００２３】
図３は、本発明のクロスバーの固定具１００の一つを構成するクロスバーのフレーム１８部分に着設する係合部２７を示す。図３の（３−１）はクロスバーの固定具１００の構成部品である係合部２７の側面図であり、図３の（３−２）は係合部２７の上面図、図３の（３−３）は係合部２７の底面図、及び図３の（３−４）は係合部２７の側面からの斜視図を示している。係合部２７の形状は図３の（３−２）に示すように、筒状の一側面が開口した半円状の筒体であって、係合部２７の筒体の外部両側面には肩部２６を着設して、車椅子の上部フレーム１２に着設した固定部２０の受け部２２の両側を肩部２６で挟むようにして固定する。クロスバーのフレーム１８に着設する係合部２７の外側面には、受け部２２の中央部に着設した突起部２４に係合する凹部２３を穿設した。
【００２４】
図４は、車椅子の上部フレーム１２に着設した固定部２０の受け部２２とクロスバーのフレーム１８に着設した係合部２７が係合した状態を示している。車椅子のクロスバーを開くとクロスバーのフレーム１８に着設された係合部２７の当接凹部２８と車椅子の上部フレーム１２に着設された受け部２２の中央部の突起部２４とが係合し、さらに、係合部２７の外側に設けられた肩部２６が受け部２２を挟んで、車椅子の移動中にクロスバーのフレーム１８が前後に揺動するのを防止する。
【００２５】
図５は、クロスバーのフレーム１８に着設する別形状の係合部２７を示す。この係合部２７に係合する車椅子の上部フレーム１２に着設する固定部２０の受け部２２も、図５の（５−１）に示すように、半円形状の凹部２３の中央部に突起部がない形状としたが、先に示した係合部２７と同様に半円状の凹部２３の中央部に突起部２４を設けても良い。図５の（５−２）又は図５の（５−３）に示す係合部２７は、係合部２７の側面に嵌着蓋３０を着設して、図５の（５−４）に示すように固定部２０の受け部２２に係合した場合に、固定部２０の受け部２２の肩部３０に嵌合して、肩部３０に蓋をするようにして係合する構造とした。固定部２０の受け部２２の肩部３０に嵌合して蓋をして係合する構造とすることによって、係合部２７の嵌着蓋３１が受け部２２に嵌合して、クロスバーのフレーム１８が前後、左右に揺動するのを防止する作用がある。
【００２６】
図６は、車椅子の上部フレーム１２に固定部２０の受け部２２ａ、２２ｂを有する取着部２１を片側に二つずつ溶着し、溶着した固定部２０の受け部２２に当接するクロスバーのフレーム１８の位置に、係合部２７ａ、２７ｂを片側に二つずつ着設した例を示している。また、クロスバーの一方側にバックル取着部３３を着設し、クロスバーの他方側に取着したベルト３２を通し、ベルトの自由端３２ａを掴んで引き上げるとクロスバー１６が折り畳まれ、ベルトの自由端３２ａから手を離してもバックル３３ａが閉じた状態でベルトが引き締められて固定され、クロスバー１６は閉じた状態で保持される。クロスバー１６を開く場合は、ベルトの自由端３２ａを持って、一方側に引くとバックル３３ａの固定が解除されてクロスバー１６が開く。
【００２７】
図７は、ベルト３２の中央部と端部に雌、又は雄の面ファスナー３４を貼着したベルト３２を一方端にバックル３３を介してクロスバーのフレーム１８に着設して、補助ベルト３２の自由端を面ファスナー３４から剥がしてベルト３２を引き上げると、クロスバーのフレーム１８を簡単に引き寄せて、車椅子を折り畳み、ベルト３２を引き寄せた後、自由端を面ファスナー３４同士を貼着することによって車椅子を折り畳んだ状態で安定に保持する方法を示す。
【００２８】
図８は、車椅子の下部フレームに回動可能に軸着されたクロスバーを有する折りたたみ式車椅子のクロスバーの固定具１００にボルトを通す孔３５を穿設した例を示す。車椅子の上部フレームに着設する取着部２１と半円形状の凹部を有する前記クロスバーのフレームを受ける受け部２２とより形成された固定部２０と、クロスバーのフレームに着設する前記受け部２２に係合する係合部２７とよりなるクロスバーの固定具の固定部２０と係合部２７の中央に上下に貫通する孔３５を穿設したことを特徴とする折りたたみ式車椅子のクロスバーの固定具１００を示す。
【００２９】
図９は、車椅子の下部フレーム１５に回動可能に軸着されたクロスバー１６を有する折りたたみ式車椅子にクロスバーの固定具１００を装着した例を示す。車椅子の上部フレーム１２に、取着部２１と半円形状の凹部中央の上下に孔が穿設された受け部２２とよりなる固定部２０の取着部２１を着設し、クロスバーのフレーム１８に、前記受け部の半円形状の凹部の肩部に係合する嵌着蓋３１を有する中央部の上下に貫通する孔が穿設された係合部２７を嵌着して、係合部２７の中央部の孔３５に合致するようにクロスバーのフレーム１８にも同径の孔を穿設して、係合部２７の上から固定部２０の下に突き抜けるようにボルト３６を挿入して、下からナット３７（図示せず）で強固に固定した。
【００３０】
車椅子を常時開いた状態で使用する人にとっては、クロスバーのフレームを上部フレームにボルトとナットで動かないように強固に固定することによって、車椅子がガタガタせず安定な状態で使用することができる。
【図面の簡単な説明】
【００３１】
【図１】図１はクロスバーを着設した車椅子の側面図である。
【図２】図２はクロスバー固定具を構成する受け部の上面図、側面図、斜視図である。
【図３】図３はクロスバー固定具を構成する係合部の上面図、側面図、斜視図である。
【図４】図４はクロスバー固定具を構成する受け部と係合部が係合した斜視図である。
【図５】図５はクロスバー固定具を構成する別形状の受け部と係合部の斜視図である。
【図６】図６はクロスバー固定具を構成する受け部と係合部、及びクロスバーを折り畳むバックルを着設したベルトを装着した車椅子の部分斜視図である。
【図７】図７はクロスバー固定具を構成する受け部と係合部、及びクロスバーを折り畳む面ファスナーを貼着した補助ベルトを装着した車椅子の部分斜視図である。
【図８】図８は上下に貫通する（ボルトを通す）孔を穿設したクロスバー固定具を構成する係合部の上面図、側面図、斜視図である。
【図９】図９は上下に孔を穿設したクロスバー固定具を装着した車椅子の部分斜視図である。
【符号の説明】
【００３２】
１００：クロスバーの固定具
１０：車椅子
１１：キャスター
１２：上部フレーム
１３：座部
１４：主車輪
１５：下部フレーム
１６：クロスバー
１７：背もたれ
１８：クロスバーのフレーム
１９：後部フレーム
２０：固定部
２１：取着部
２２：受け部
２３：凹部
２４：突起部
２５：ボルト
２６：肩部
２７：係合部
２８：当接部
２９：当接凹部
３０：肩部
３１：嵌着蓋
３２：ベルト
３３：バックル取着部
３４：面ファスナー
３５：（ボルトを通す）孔
３６：ボルト
３７：ナット
【図１】
0005285295.tif 000002
【図２】
0005285295.tif 000003
【図３】
0005285295.tif 000004
【図４】
0005285295.tif 000005
【図５】
0005285295.tif 000006
【図６】
0005285295.tif 000007
【図７】
0005285295.tif 000008
【図８】
0005285295.tif 000009
【図９】
0005285295.tif 000010